(57)【要約】【課題】メンテナンス性や汎用性に優れ、ガスの利用開始に対する高い応答性を確保することが可能な換気制御システムを提供する。【解決手段】換気制御システム１００は、ガスの総流量値を表示するガスメータ１１０と、ガスメータの画像を取得する画像取得部１３０と、取得した画像の変化を検出する画像変化検出部１３２と、ガスメータを経由したガスを燃焼する燃焼機器と、燃焼機器の排気ガスを排出する排気部と、画像変化検出部が画像の変化を検出している間、排気部を駆動制御する駆動制御部１３４とを備えることを特徴とする。【選択図】図１
2014009933.tif 000002
【特許請求の範囲】
【請求項１】
ガスの総流量値を表示するガスメータの画像を取得する画像取得部と、
取得した画像の変化を検出する画像変化検出部と、
を備えることを特徴とするガスメータ監視装置。
【請求項２】
前記画像変化検出部は、画素単位で画像の変化を検出することを特徴とする請求項１に記載のガスメータ監視装置。
【請求項３】
ガスの総流量値を表示するガスメータと、
前記ガスメータの画像を取得する画像取得部と、
取得した画像の変化を検出する画像変化検出部と、
前記ガスメータを経由したガスを燃焼する燃焼機器と、
前記燃焼機器の排気ガスを排出する排気部と、
前記画像変化検出部が画像の変化に応じて前記排気部を駆動制御する駆動制御部と、
を備えることを特徴とする換気制御システム。
【請求項４】
前記画像変化検出部は、画像の変化速度も検出し、
前記駆動制御部は、前記変化速度に基づく１または複数次の関数の値に比例した排気速度で前記排気部を駆動制御することを特徴とする請求項３に記載の換気制御システム。
【請求項５】
前記画像変化検出部は、画像の変化速度も検出し、
前記駆動制御部は、前記変化速度が第１閾値以上となると前記排気部の排気速度が上昇するように前記排気部を駆動制御し、該第１閾値より小さい第２閾値以下となると前記排気部の排気速度が下降するように前記排気部を駆動制御することを特徴とする請求項３または４に記載の換気制御システム。
【請求項６】
ガスの総流量値を表示するガスメータと、該ガスメータを経由したガスを燃焼する燃焼機器と、該燃焼機器の排気ガスを排出する排気部とを用いて換気制御を行う換気制御方法であって、
前記ガスメータの画像を取得し、
取得した前記画像の変化を検出し、
画像の変化に応じて前記排気部を駆動制御することを特徴とする換気制御方法。
【発明の詳細な説明】
【技術分野】
【０００１】
本発明は、ガスメータにおけるガスの総流量値を監視するガスメータ監視装置、ならびに、ガスの総流量値に応じて排気部を制御する換気制御システム、および、換気制御方法に関する。
【背景技術】
【０００２】
キッチンや厨房には、ガスコンロのガスバーナにおいて可燃性のガスを燃焼した際に生じる排気ガスを外部に排出するため、換気ファンが設けられている。従来、換気ファンは、ガスバーナの燃焼に拘わらず、ガスバーナの利用者が直接操作することで、駆動および停止が為されていた。したがって、ガスバーナを頻繁に利用する業務用の厨房等では、換気ファンの煩わしい駆動／停止操作を回避すべく、全営業時間に亘って換気ファンを連続駆動するといった対応が為されていた。
【０００３】
しかし、実際にガスバーナを利用していない間においてまで、換気ファンを一律に連続駆動すると、その電力を無駄に消費するばかりか、空調機器により調整された室内空気を不要に排出してしまい空調負荷が増大することとなる。また、利用者が直接操作する場合、適切なタイミングで換気ファンを駆動させないと、排出すべき排気ガスが室内にこもってしまうこともあった。
【０００４】
そこで、換気ファンと連通する排気フードの空気吸い込み口付近に温度センサを設け、その温度センサを通じてガスバーナの燃焼状態を検出し、検出情報に応じて換気ファンをＯＮ／ＯＦＦ駆動する技術が開示されている（例えば、特許文献１）。
【先行技術文献】
【特許文献】
【０００５】
【特許文献１】特開２００１−１１６３０５号公報
【発明の概要】
【発明が解決しようとする課題】
【０００６】
しかし、特許文献１の技術では、油分を含む排気ガスに温度センサが直接曝されるので、温度センサの温度測定部位に油が堆積して正確に温度を測定できなくなることを防ぐため、定期的な清掃が必要になるという課題があった。
【０００７】
また、ガスバーナの燃焼を開始しても、排気ガスが拡散したり、空調機器により冷却された室内空気と混合したりして、温度センサ周囲の温度がすぐに上がらず、温度センサの応答が遅れ、換気ファンの駆動が間に合わず、十分な換気を行うことができない場合もあった。
【０００８】
かかる温度センサの代わりに、ガスバーナに導入されるガスの流量を直接検出することが考えられるが、ガス配管に流量計を装入すると、流量計の新設や配管切断等の設置工事に多大な費用を費やしてしまう。また、ガスメータの総流量値を示す回転ドラムの回転数を客観的に判定することも考えられるが、ガスバーナの燃焼タイミングによっては、総流量値が１回転に満たない場合もあり、ガスバーナの燃焼に対して十分な応答性が得られないという問題があった。
【０００９】
本発明は、このような課題に鑑み、メンテナンス性や汎用性に優れ、ガスの利用開始に対する高い応答性を確保することが可能なガスメータ監視装置、換気制御システムおよび換気制御方法を提供することを目的としている。
【課題を解決するための手段】
【００１０】
上記課題を解決するために、本発明のガスメータ監視装置は、ガスの総流量値を表示するガスメータの画像を取得する画像取得部と、取得した画像の変化を検出する画像変化検出部と、を備えることを特徴とする。
【００１１】
画像変化検出部は、画素単位で画像の変化を検出してもよい。
【００１２】
上記課題を解決するために、本発明の換気制御システムは、ガスの総流量値を表示するガスメータと、ガスメータの画像を取得する画像取得部と、取得した画像の変化を検出する画像変化検出部と、ガスメータを経由したガスを燃焼する燃焼機器と、燃焼機器の排気ガスを排出する排気部と、画像変化検出部が画像の変化に応じて排気部を駆動制御する駆動制御部と、を備えることを特徴とする。
【００１３】
画像変化検出部は、画像の変化速度も検出し、駆動制御部は、変化速度に基づく１または複数次の関数の値に比例した排気速度で排気部を駆動制御してもよい。
【００１４】
画像変化検出部は、画像の変化速度も検出し、駆動制御部は、変化速度が第１閾値以上となると排気部の排気速度が上昇するように排気部を駆動制御し、第１閾値より小さい第２閾値以下となると排気部の排気速度が下降するように排気部を駆動制御してもよい。
【００１５】
上記課題を解決するために、本発明の換気制御方法は、ガスの総流量値を表示するガスメータと、ガスメータを経由したガスを燃焼する燃焼機器と、燃焼機器の排気ガスを排出する排気部とを用いて換気制御を行う換気制御方法であって、ガスメータの画像を取得し、取得した画像の変化を検出し、画像の変化に応じて排気部を駆動制御することを特徴とする。
【発明の効果】
【００１６】
本発明によれば、メンテナンス性や汎用性に優れ、ガスの利用開始に対する高い応答性を確保することが可能となる。
【図面の簡単な説明】
【００１７】
【図１】換気制御システムの概略的な構成を示した機能ブロック図である。
【図２】換気制御方法の処理の流れを示したフローチャートである。
【図３】画像取得処理を説明するための説明図である。
【図４】画像変化検出処理を説明するための説明図である。
【図５】画像変化検出処理を説明するための説明図である。
【図６】ＯＮ／ＯＦＦ制御を用いた場合の駆動制御処理を説明するための説明図である。
【図７】比例制御を用いた場合の駆動制御処理を説明するための説明図である。
【図８】ヒステリシス制御を用いた場合の駆動制御処理を説明するための説明図である。
【発明を実施するための形態】
【００１８】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１９】
（換気制御システム１００）
図１は、換気制御システム１００の概略的な構成を示した機能ブロック図である。図１に示すように、換気制御システム１００は、ガスメータ１１０と、燃焼機器としてのガス式加熱調理機器１１２と、換気装置１１４と、撮像装置１１６と、ガスメータ監視装置１１８とを含んで構成される。
【００２０】
ガスメータ１１０は、防水仕様の箱形に形成され、遮断弁１１０ａと、流量センサ１１０ｂと、表示部１１０ｃとを含んで構成される。遮断弁１１０ａは、例えばソレノイドやステッピングモータを用いた電磁弁等で構成され、可燃性のガス（以下、単にガスという）の流路を遮断または開放して、ガスメータ１１０に流入するガスの供給を制御する。
【００２１】
流量センサ１１０ｂは、容積式を用いる。具体的に、流量センサ１１０ｂは、ダイカスト製の外箱の中央に仕切り板を置いてその両側に二つの計量室を設け、それぞれの内部に計量膜を張り、バルブにより膜の外・内に交互にガスを充填・排出させることにより往復運動を生みだし、クランク軸の回転運動に換え、カウンターを動かすことで、流量を計測する。ここでは、流量センサ１１０ｂとして、容積式を用いる例を挙げているが、かかる場合に限らず、羽根車式や超音波センサ等、既存の様々な検出方式の流量センサ１１０ｂを用いることができる。
【００２２】
表示部１１０ｃは、ガスメータ１１０の前面側に位置し、数値や目盛が記された複数の回転ドラムとその前面を覆う透過式の表示窓とを含んでなる。かかる回転ドラムは、流量センサ１１０ｂが検出した流量に応じ、ガスの流量に比例する回転速度で駆動する。したがって、回転ドラムの回転に伴って表示される数値や目盛は、ガスの流量の積分値に相当する値、すなわち総流量値が示されることとなる。
【００２３】
ガス式加熱調理機器１１２は、屋内に配置され、ガス配管を通じてガスメータ１１０と接続される。ガス式加熱調理機器１１２では、ガスバーナ１１２ａが、ガスメータ１１０を経由して導入されたガスを燃焼する。
【００２４】
換気装置１１４は、ガス式加熱調理機器１１２の上方に位置し、ガスバーナ１１２ａによって燃焼された排気ガスを収集する排気フード１１４ａと、排気フード１１４ａと屋外とを管状に連通する排気ダクト１１４ｂと、排気フード１１４ａで収集された排気ガスを排気ダクト１１４ｂから屋外に排出する、排気部としての換気ファン１１４ｃとを含んで構成される。ここでは、排気部として、換気ファン１１４ｃを採用し、換気ファン１１４ｃの回転速度（排気速度）を制御する例を挙げて説明するが、排気ガスを排気することさえできれば、様々な排気手段を採用することができる。
【００２５】
撮像装置１１６は、例えば、水平８００画素×垂直６００画素のＣＣＤ（Charge Coupled Device）やＣＭＯＳ（Complementary Metal Oxide Semiconductor）といった撮像素子１１６ａを含んで構成される。撮像装置１１６は、ガスメータ１１０の表示部１１０ｃの前方に配置され、その状態で、撮像素子１１６ａは、表示部１１０ｃの回転ドラムを撮像する。具体的に、撮像素子１１６ａは、複数の回転ドラムのうち、総流量値の下位に相当する右端の数値、および、さらにその右側に位置する目盛を撮像する。そして、撮像装置１１６は、無線または有線の通信手段を通じてガスメータ監視装置１１８に撮像した画像を送信する。
【００２６】
上記撮像装置１１６は、様々な形状のガスメータ１１０に対して、着脱可能な構造を有しており、ガスメータ１１０を解体することなく、また、ガス配管の切断や特別な設置工事を伴うことなく、外部から容易に取り付けることができる。したがって、ガスメータ１１０に対する汎用性が高く、ガスメータ１１０を交換した場合であっても、そのまま利用し続けることができる。また、排気フード１１４ａに温度センサを取り付ける場合と比べ、ガスバーナ１１２ａの燃焼熱を直接受けることもないので経年劣化が少なく、油分等の影響を受けないので測定精度やメンテナンス性に長けている。
【００２７】
ガスメータ監視装置１１８は、中央処理装置（ＣＰＵ）、プログラム等が格納されたＲＯＭ、ワークエリアとしてのＲＡＭ等を含む半導体集積回路により、ガスメータ監視装置１１８全体を管理および制御する。また、ガスメータ監視装置１１８は、画像取得部１３０、画像変化検出部１３２、駆動制御部１３４としても機能する。
【００２８】
画像取得部１３０は、無線または有線の通信手段を通じて撮像装置１１６から、表示部１１０ｃ（ガスメータ１１０）の画像を取得する。画像変化検出部１３２は、取得した画像の変化を検出する。駆動制御部１３４は、画像変化検出部１３２が画像の変化に応じて換気ファン１１４ｃを駆動制御する。以下、このような各機能部の詳細な動作について、換気制御方法を通じて具体的に説明する。
【００２９】
（換気制御方法）
図２は、換気制御方法の処理の流れを示したフローチャートである。ここでは、図２のフローチャートに従って、ガスメータ１１０におけるガスの総流量値を監視し、総流量値の変化、すなわち、撮像した画像の変化に応じて換気ファン１１４ｃを駆動制御する。以下、図２に示すように、画像取得処理Ｓ１、画像変化検出処理Ｓ２、駆動制御処理Ｓ３の順に説明する。
【００３０】
（画像取得処理Ｓ１）
図３は、画像取得処理Ｓ１を説明するための説明図である。撮像装置１１６は、１ＦＰＳ（１Ｈｚ）の頻度で（１秒おきに）表示部１１０ｃの右端の回転ドラムを撮像し、図３に示すような画像１５０を生成する。撮像素子１１６ａの画角には、総流量値の下位に相当する右端の数値、および、さらにその右側に位置する目盛が含まれ、画像１５０が生成される毎に、撮像装置１１６からガスメータ監視装置１１８に画像１５０が送信される。ガスメータ監視装置１１８の画像取得部１３０は、撮像装置１１６から送信された画像１５０を取得すると、その画像１５０を一旦ＲＡＭに保持する。
【００３１】
ここでは、撮像装置１１６の撮像頻度を１ＦＰＳとしたが、任意に設定することができる。例えば、対象となる回転ドラムの想定される最大回転速度で回転したとしても、撮像間で最大でも数画素しか移動しないように撮像間の時間を設定することで、以下のパターンマッチングの負荷を軽減することができる。
【００３２】
（画像変化検出処理Ｓ２）
図４および図５は、画像変化検出処理Ｓ２を説明するための説明図である。画像変化検出部１３２は、まず、図３に示したＲＡＭに保持された画像１５０を、図４（ａ）に示すように、垂直方向に３分割し、その中央に位置する部分画像１５２を切り出す。このように部分画像１５２を切り出す理由は、以下のとおりである。
【００３３】
回転ドラム１１０ｄは、筒状に構成されているため、数値が記された表面は曲面を形成している。したがって、図４（ｂ）に示すように、回転ドラム１１０ｄが等速で回転していたとしても、表示部１１０ｃの表示面には、回転移動量の余弦（ｃｏｓｉｎｅ）分しか表示されない。すると、表示部１１０ｃに記された数値等が画像１５０の１画素分を移動するために、図４（ｂ）における表示部１１０ｃ上のＡ地点（回転角＝０°）と比較して、表示部１１０ｃ上のＢ地点（回転角＝３０°）では、１／ｃｏｓ３０°＝１．１５倍の時間を要してしまう。
【００３４】
ここでは、回転角によって、回転速度に対する実質的な分解能が異なってしまうのを回避すべく、その影響が少ない、すなわち、回転角が小さい範囲（１／３の領域）のみを検出対象としている。また、このような曲面による数値や目盛の歪みを画像処理で補正することも可能であるが（例えば、垂直方向上下の画像を余弦分延ばす）、同時に単位画素も延びるので、分解能は変化しない。
【００３５】
続いて、画像変化検出部１３２は、図５（ａ）に示すような、ＲＡＭに記憶されている前回の部分画像１５２と、図５（ｂ）に示すような、切り出した今回の部分画像１５２とを取得し、一方（ここでは図５（ａ））の部分画像１５２から任意に抽出したブロック（ここでは水平８００画素×垂直１画素の配列で構成される）１６０ａと相関の高いブロック１６０ｂを、他方（ここでは図５（ｂ））の部分画像１５２から検出する、所謂パターンマッチングを用いて、部分画像１５２の変化を検出する。ただし、図５では、理解を容易にするため水平画素対垂直画素の比率を意図的に変更している。
【００３６】
このパターンマッチングとしては、２つの部分画像１５２において、ブロック単位で輝度値（Ｙ色差信号）を比較することが考えられる。例えば、輝度値の差分をとるＳＡＤ（Sum of Absolute Difference）、差分を２乗して用いるＳＳＤ（Sum of Squared intensity Difference）や、各画素の輝度値から平均値を引いた分散値の類似度をとるＮＣＣ（Normalized Cross Correlation）等の手法がある。画像変化検出部１３２は、このようなブロック単位の検出処理を、対象とする部分画像１５２（例えば８００画素×６００画素）における全てのブロック１６０について行う。
【００３７】
ここでは、部分画像１５２に数値と目盛とをいずれも撮像することとし、ブロック（８００画素×１画素）１６０の大きさを、数値と目盛のいずれも含まれる大きさとすることで、数値や目盛の識別性を高め、精度の向上を図っている。ただし、ブロック１６０の大きさは、８００画素×１画素に限らず、ブロック１６０内の画素数は任意に設定することができる。また、ここでは、数値と目盛とをいずれもパターンマッチングに用いるとしたが、いずれか一方のみを用いてもよいことは言うまでもない。
【００３８】
また、回転ドラム１１０ｄの撮像間の最大移動量が把握されている場合、ＲＡＭに記憶されている前回の部分画像１５２と、切り出した今回の部分画像１５２との間で、ブロック１６０の移動が、最大移動量に相当する画素数に制限されるので、他の部分画像１５２における相関の高いブロック１６０ｂの検索範囲を、最大移動量に相当する画素数に限定することができる。こうして、パターンマッチングの負荷を軽減することができる。特に、上述したように、目盛のみでパターンマッチングを行う場合、類似する画像パターンが複数存在することになるが、その対象を、最大移動量に相当する画素数内の画像パターンに限定することで１の画像パターンを特定することができる。
【００３９】
また、本実施形態において、画像変化検出部１３２は、画像１５０の変化のみならず、その変化速度も導出する。かかる変化速度は、上記パターンマッチングにより特定された撮像間の移動距離（移動画素）を撮像時間間隔で除算することで導出できる。
【００４０】
ただし、単純に移動距離を撮像時間間隔で除算すると、画素の分解能に起因する誤差が生じるので、本実施形態では、例えば、１０回分の移動平均をとって最終的な変化速度としている。かかる移動平均は、移動平均を算出するため１０回分の変化速度を合わせた積算値から１０回前の変化速度を減算し、今回導出した変化速度を積算値に加算し、その積算値を１０で除算することで導出される。
【００４１】
画像変化検出部１３２は、画像１５０の変化および変化速度を導出すると、次回の演算処理のため、ＲＡＭに、今回の画像１５０、今回導出した変化速度、積分値を保持する。
【００４２】
画像変化検出処理Ｓ２では、ガスの流量の変化、すなわち、ガスメータ１１０を撮像した画像１５０の変化を通じてガスバーナ１１２ａが利用されていることを迅速に判定することができるので、ガスバーナ１１２ａが利用されるのと同時に、その旨を把握することが可能となり、換気ファン１１４ｃ等、他の機器と連動させて、高い応答性を有するシステムを構築することができる。
【００４３】
（駆動制御処理Ｓ３）
駆動制御部１３４は、画像変化検出部１３２から、画像１５０の変化を検出している旨、および、画像１５０の変化速度を受信すると、それに応じて換気ファン１１４ｃを駆動制御する。ここでは、その制御アルゴリズムとして、ＯＮ／ＯＦＦ制御、比例制御、および、ヒステリシス制御を挙げて説明する。ただし、本実施形態に適用できる制御方式は、かかる３つの制御方式に限らず、ＰＩＤ制御等、既存の様々な制御方式を採用することができる。
【００４４】
図６は、ＯＮ／ＯＦＦ制御を用いた場合の駆動制御処理Ｓ３を説明するための説明図である。図６では、横軸に変化速度、縦軸に換気ファン１１４ｃの回転速度（排気速度）を表している。図６を参照すると、駆動制御部１３４は、画像１５０の変化を検出している間、もしくは、画像１５０の変化速度が０以外の任意の値（例えば、変化速度ａ）以上となっている間、予め定められた上限回転速度ｂで換気ファン１１４ｃを駆動する。
【００４５】
このとき、変化速度ａは、任意に設定することができるが、あまりに低く設定してしまうと、換気ファン１１４ｃがほぼ駆動し続けることとなり、消費電力を十分に低減できなくなるおそれがある。そこで、所定時刻毎にガスメータ１１０の総流量値を蓄積するロードサーベイ等を通じて流量の変動パターンを導出し、それを分析することで最適な値を設定するとしてもよい。
【００４６】
図７は、比例制御を用いた場合の駆動制御処理Ｓ３を説明するための説明図である。図７でも、横軸に変化速度、縦軸に換気ファン１１４ｃの回転速度を表している。図７を参照すると、駆動制御部１３４は、上限回転速度ｂに達するまで、画像１５０の変化速度に基づく１または複数次の関数の値に比例した回転速度ｃで換気ファン１１４ｃを駆動する。かかる関数は、変化速度を変数とする関数である。
【００４７】
したがって、関数を漸増関数に設定すると、画像１５０の変化速度が大きくなればなるほど、すなわち、ガスバーナ１１２ａの火力が大きくなればなるほど、換気ファン１１４ｃの回転数も高くなり、ガスバーナ１１２ａの燃焼による排気ガスを効率的に屋外に排出することが可能となる。
【００４８】
また、ここでは、図７に示すように、画像１５０の変化が検出されなくとも、また、画像１５０の変化速度が０であったとしても、予め定められた下限回転速度ｄで換気ファン１１４ｃを駆動する。したがって、換気ファン１１４ｃは、少なくとも下限回転速度ｄの回転を確保していることになる。かかる構成により、最低レベルの換気を維持するとともに、ガスバーナ１１２ａの火力が大きくなれば、それに応じて適した流量の換気を実現することが可能となる。
【００４９】
図８は、ヒステリシス制御を用いた場合の駆動制御処理Ｓ３を説明するための説明図である。図８でも、横軸に変化速度、縦軸に換気ファン１１４ｃの回転速度を表している。図８を参照すると、駆動制御部１３４は、制御開始時に、予め定められた変化速度ｅ未満の変化速度であれば、予め定められた下限回転速度ｄで換気ファン１１４ｃを駆動する。そして、変化速度が上昇して変化速度（第１閾値）ｅに到達すると、駆動制御部１３４は、図７を用いて説明した比例制御により、変化速度の上昇分に比例して換気ファン１１４ｃの回転速度を上げる。そして、変化速度ｆに到達すると、駆動制御部１３４は、換気ファン１１４ｃを、予め定められた上限回転速度ｂに維持する。
【００５０】
また、このような換気ファン１１４ｃの回転速度が上限回転速度ｂとなっている場合に、変化速度が減少しても、すぐには回転速度が低下せず、上限回転速度ｂを維持する。そして、予め定められた変化速度（第２閾値）ｇまで低下してはじめて、変化速度の下降分に比例して換気ファン１１４ｃの回転速度を下げる。そして、変化速度ｈに到達すると、駆動制御部１３４は、換気ファン１１４ｃを、予め定められた下限回転速度ｄに維持する。
【００５１】
以上、説明したように、本実施形態のガスメータ監視装置１１８、換気制御システム１００、および、換気制御方法によれば、メンテナンス性や汎用性に優れ、ガスの利用開始に対する高い応答性を確保することが可能となる。
【００５２】
（変形例：複数のガス式加熱調理機器１１２）
上述した実施形態では、ガス式加熱調理機器１１２と換気装置１１４の組み合わせ（以下、単に組み合わせという）が１組の場合を説明した。ここでは、その変形例として、組み合わせが複数組ある場合の駆動制御部１３４の処理について述べる。
【００５３】
組み合わせが複数組あったとしても、導入元となるガス配管やガスメータ１１０が１つであれば、基本的に、上述した組み合わせが１組の場合の駆動制御を適用できる。しかし、単に適用してしまうと、複数組の組み合わせのうち１の組み合わせのみでガス式加熱調理機器１１２が利用されている場合にも全ての換気装置１１４における換気ファン１１４ｃが駆動してしまい、無駄な電力を消費してしまう。
【００５４】
そこで、組み合わせが複数組存在する場合であって、それぞれの組み合わせを識別できる場合、駆動制御部１３４は、その組み合わせを個々に独立して制御する。ここで組み合わせを識別できる場合とは、それぞれのガス式加熱調理機器１１２で利用されるガスの総流量が固定的であり、かつ、相異なる場合である。例えば、第１のガス式加熱調理機器（例えば、炊飯器など）１１２におけるガスバーナ１１２ａの消費が固定的に５ｋＷであり、第２のガス式加熱調理機器（例えば、フライヤーなど）１１２におけるガスバーナ１１２ａの消費が固定的に１２ｋＷである場合、それぞれ、その消費に対応する流量のガスが供給される。
【００５５】
したがって、５ｋＷに相当するガスの流量を表す画像１５０の変化量を検出すると、駆動制御部１３４は、第１のガス式加熱調理機器１１２が利用されていると判断し、第１のガス式加熱調理機器１１２に対応する換気ファン１１４ｃのみを駆動する。また、１２ｋＷに相当するガスの流量を表す画像１５０の変化量を検出すると、駆動制御部１３４は、第２のガス式加熱調理機器１１２が利用されていると判断し、第２のガス式加熱調理機器１１２に対応する換気ファン１１４ｃのみを駆動する。さらに、１７ｋＷに相当するガスの流量を表す画像１５０の変化量を検出すると、駆動制御部１３４は、第１のガス式加熱調理機器１１２および第２のガス式加熱調理機器１１２のいずれもが利用されていると判断し、第１のガス式加熱調理機器１１２に対応する換気ファン１１４ｃおよび第２のガス式加熱調理機器１１２に対応する換気ファン１１４ｃのいずれをも駆動する。
【００５６】
以上、添付図面を参照しながら本発明の好適な実施形態について説明したが、本発明はかかる実施形態に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００５７】
例えば、上述した実施形態においては、ガスメータ１１０の表示部１１０ｃとして回転ドラム１１０ｄを随時回転し、数値をアナログ的に更新する構成を説明したが、かかる場合に限らず、液晶ディスプレイ、有機ＥＬ（Electro Luminescence）ディスプレイ等にデジタル表示することもでき、撮像装置１１６は、かかるデジタル表示が更新されたことをもって、画像１５０の変化を検出することができる。
【００５８】
なお、本明細書の換気制御方法における各工程は、必ずしもフローチャートして記載された順序に沿って時系列に処理する必要はなく、並列的あるいはサブルーチンによる処理を含んでもよい。
【産業上の利用可能性】
【００５９】
本発明は、ガスメータにおけるガスの総流量値を監視するガスメータ監視装置、ならびに、ガスの総流量値に応じて排気部を制御する換気制御システム、および、換気制御方法に利用することができる。
【符号の説明】
【００６０】
１００  …換気制御システム
１１０  …ガスメータ
１１２  …ガス式加熱調理機器（燃焼機器）
１１２ａ  …ガスバーナ
１１４  …換気装置
１１４ｃ  …換気ファン（排気部）
１１８  …ガスメータ監視装置
１３０  …画像取得部
１３２  …画像変化検出部
１３４  …駆動制御部
【図１】
2014009933.tif 000003
【図２】
2014009933.tif 000004
【図３】
2014009933.tif 000005
【図４】
2014009933.tif 000006
【図５】
2014009933.tif 000007
【図６】
2014009933.tif 000008
【図７】
2014009933.tif 000009
【図８】
2014009933.tif 000010